(57)【要約】【課題】垂れた犬の耳を持ち上げることができる犬の耳上げ器具を提供する。【解決手段】頭部の前部と後部に巻き付ける前バンド２ａと後バンド２ｂ及び前後バンドを頭部の上部付近で互いに連結する連結部材２ｃとからなる装着手段２と、前後バンドの一端側に移動自在に設けられ、かつ前後バンドの一端側を互いに近接させて、装着手段を犬の頭部に装着した際、装着手段が回転するのを防止する環状体２ｄ，２ｅと、前後バンドの長さ調整機能を有する止め具３と、垂れた耳を耳孔を塞がない位置まで持ち上げる耳上げ部材１と、装着手段に耳上げ部材を着脱自在に取り付ける止着手段４とからなり、垂れた耳により塞がれていた耳孔が開放されて耳孔内の通気性が向上するため、耳孔内に溜まった耳垢等が蒸れて悪臭を発生したり、外耳炎となるのを未然に防止できる上、犬の頭部全周を巻くように装着手段が装着されているため、耳上げ部材の装着位置がずれたり、簡単に外れてしまうことがない。【選択図】図５
2009219431.tif 000002
【特許請求の範囲】
【請求項１】
犬の頭部に装着して、垂れた耳を持ち上げる犬の耳上げ器具であって、前記頭部の前部と後部に巻き付ける前バンドと後バンド及び前記前後バンドを前記頭部の上部付近で互いに連結する連結部材とからなる装着手段と、前記前後バンドの一端側に移動自在に設けられ、かつ前記前後バンドの一端側を互いに近接させることにより、前記装着手段を犬の頭部に装着した際、前記装着手段が回転するのを防止する環状体と、前記前後バンドの長さ調整機能を有し、かつ前記前後バンドの両端部を係脱自在に係止する止め具と、垂れた耳を耳孔を塞がない位置まで持ち上げる耳上げ部材と、前記装着手段に前記耳上げ部材の取り付け部を着脱自在に取り付ける止着手段とから構成したことを特徴とする犬の耳上げ器具。
【請求項２】
犬の頭部に装着して、垂れた耳を持ち上げる犬の耳上げ器具であって、前記頭部の前部と後部に巻き付ける前バンドと後バンド及び前記前後バンドを前記頭部の上部付近で互いに連結する連結部材とからなる装着手段と、前記前後バンドの長さ調整機能を有し、かつ前記前後バンドの両端部を交差させた状態で係脱自在に係止する止め具と、垂れた耳を耳孔を塞がない位置まで持ち上げる耳上げ部材と、前記装着手段に前記耳上げ部材の取り付け部を着脱自在に取り付ける止着手段とから構成したことを特徴とする犬の耳上げ器具。
【請求項３】
前記止着手段により前記装着手段に取り付けられる前後取り付け部と、前記取り付け部より前記頭部の両側へ張り出され、かつ耳孔を塞がない位置まで垂れた耳を持ち上げる縦水平部とから前記耳上げ部材を形成すると共に、前記耳上げ部材を、弾性を有し、かつ変形自在な線状材により形成してなる請求項１または２に記載の犬の耳上げ器具。
【請求項４】
前記止着手段を、前記装着手段に取り付けた面状ファスナにより形成し、また前記耳上げ部材の前記取り付け部に、前記面状ファスナの両側縁に当接することにより、前記耳上げ部材の取り付け位置がずれるのを防止するストッパを設けてなる請求項１ないし３の何れかに記載の犬の耳上げ器具。
【発明の詳細な説明】
【技術分野】
【０００１】
本発明は、犬の垂れた耳を持ち上げることにより、耳孔内の通気性を向上させる犬の耳上げ器具に関する。
【背景技術】
【０００２】
現在ペットとして飼われている犬には種々の犬種があり、また犬種によって耳が立っていたり、耳の先端部分が垂れていたり、耳のほとんどが垂れている犬等がいる。
特にダックスフンド系の犬種は耳が大きく、そのほとんどが垂れているため、垂れた耳が常時耳孔の入口を塞いだ状態にある。
このため耳孔内に空気が流入することが少ないことから、耳孔内に溜まった耳垢等が蒸れて悪臭を発生したり、外耳炎の原因となることが多い。
ペットとして飼っている犬が外耳炎等の病気になった場合、多くの飼い主は、犬を動物病院へ連れて行って治療を受けるが、その際獣医は、耳が長く垂れている犬種の犬は耳孔内の通気性が悪いため外耳炎になりやすいと病気の原因について説明し、その対策として定期的に耳孔内を清掃して耳孔内を清潔にすることと、犬の垂れた耳を持ち上げて耳孔内の通気性を高めること等をアドバイスしてくれる。
しかし前者の耳孔内を定期的に掃除することは容易に実行できるが、犬の耳を手で長時間持ち上げておくことは不可能である。
【０００３】
かかる問題を解消するため。例えば特許文献１や２で、犬の耳を強制的に持ち上げるバンドやクリップが提案されている。
前記特許文献１のクリップは、長耳犬の耳を頭の上に託し上げて、下にずり落ちないように耳をクリップで止めるようにしたもので、犬が食事をする際に、耳が食器の中に入らないため、衛生的である等の効果を有している。
また特許文献２のバンドは、紐の両端部に形成した環状部に犬の耳を入れて、犬の耳を後頭部で支持するようにしたもので、耳孔内の通気性が向上できる等の効果を有している。
【特許文献１】特開２００２−８４９１４号公報
【特許文献２】実用新案登録第３１１９６９１号公報
【発明の開示】
【発明が解決しようとする課題】
【０００４】
しかし前記特許文献１に記載のクリップや、特許文献２に記載のバンドでは、次のような問題がある。
犬の飼い主がよく経験するとであるが、犬は耳の後ろを撫でたり掻いたりすると喜ぶことがある反面、耳に触ったり耳に異物等が付いたりすると、これを取り除こうとして頭を振ったり、足で耳付近を掻きむしることがある。
このため前記特許文献１や２のクリップやバンドのように、犬の耳に直接クリップやバンドを取り付けるようにしたものでは、犬の耳に付けた直後から犬が嫌がってクリップやバンドを取ろうとするため、犬が取らないように絶えず監視する必要がある。
【０００５】
また犬が嫌がってクリップやバンドを取ろうとする動作が続くと、飼い主は可哀想に思ってすぐに取り外してしまうことが多いため長続きせず、その結果外耳炎を防止する等の効果が得られない問題がある。
本発明はかかる問題を改善するためになされたもので、垂れた犬の耳を持ち上げることができ、かつ装着位置がずれたり、簡単に外れてしまうことがない犬の耳上げ器具を提供することを目的とするものである。
【課題を解決するための手段】
【０００６】
本発明の犬の耳上げ器具は、犬の頭部に装着して、垂れた耳を持ち上げる犬の耳上げ器具であって、頭部の前部と後部に巻き付ける前バンドと後バンド及び前後バンドを頭部の上部付近で互いに連結する連結部材とからなる装着手段と、前後バンドの一端側に移動自在に設けられ、かつ前後バンドの一端側を互いに近接させることにより、装着手段を犬の頭部に装着した際、装着手段が回転するのを防止する環状体と、前後バンドの長さ調整機能を有し、かつ前後バンドの両端部を係脱自在に係止する止め具と、垂れた耳を耳孔を塞がない位置まで持ち上げる耳上げ部材と、装着手段に耳上げ部材の取り付け部を着脱自在に取り付ける止着手段とから構成したものである。
【０００７】
前記構成により、今まで垂れた耳により塞がれていた耳孔が開放され、これによって耳孔内の通気性が向上するため、耳孔内に溜まった耳垢等が蒸れて悪臭を発生したり、外耳炎となるのを未然に防止できるようになる。
また犬は、今まで装着されたことのない耳上げ器具に違和感を感じて、最初のうちは頭を振ったり、足で頭部を掻いたりして耳上げ器具を取ろうとするが、犬の頭部全周を巻くように装着手段が装着されている上、前後バンドの一端側が環状体により頭部の下側で互いに近接された状態で連結されていて、犬の頭部に装着された装着手段が回転することがないため、装着位置がずれたり、簡単に外れてしまうことがない。
【０００８】
本発明の犬の耳上げ器具は、犬の頭部に装着して、垂れた耳を持ち上げる犬の耳上げ器具であって、頭部の前部と後部に巻き付ける前バンドと後バンド及び前後バンドを頭部の上部付近で互いに連結する連結部材とからなる装着手段と、前後バンドの長さ調整機能を有し、かつ前後バンドの両端部を交差させた状態で係脱自在に係止する止め具と、垂れた耳を耳孔を塞がない位置まで持ち上げる耳上げ部材と、装着手段に耳上げ部材の取り付け部を着脱自在に取り付ける止着手段とから構成したものである。
【０００９】
前記構成により、今まで垂れた耳により塞がれていた耳孔が開放され、これによって耳孔内の通気性が向上するため、耳孔内に溜まった耳垢等が蒸れて悪臭を発生したり、外耳炎となるのを未然に防止できるようになる。
また犬は、今まで装着されたことのない耳上げ器具に違和感を感じて、最初のうちは頭を振ったり、足で頭部を掻いたりして耳上げ器具を取ろうとするが、犬の頭部全周を巻くように装着手段が装着されている上、前後バンドの一端側が頭部の下側で交差するように止め具で係止されていて、犬の頭部に装着された装着手段が回転することがないため、装着位置がずれたり、簡単に外れてしまうことがない。
【００１０】
本発明の犬の耳上げ器具は、止着手段により装着手段に取り付けられる前後取り付け部と、取り付け部より頭部の両側へ張り出され、かつ耳孔を塞がない位置まで垂れた耳を持ち上げる縦水平部とから耳上げ部材を形成すると共に、耳上げ部材を、弾性を有し、かつ変形自在な線状材により形成したものである。
【００１１】
前記構成により、装着する犬の頭部に耳上げ部材の前後取り付け部を上方より被せ、取り付け部の湾曲が犬の頭部の形状に合わなかったり、隙間が開くような場合は、線状材よりなる耳上げ部材を手で持って、取り付け部の湾曲形状を調整したり、垂れた耳が耳孔を塞がない位置に耳が持ち上げられるように縦水平部の高さを調整する等の操作が容易に行えるようになる。
【００１２】
本発明の犬の耳上げ器具は、止着手段を、装着手段に取り付けた面状ファスナにより形成し、また耳上げ部材の取り付け部に、面状ファスナの両側縁に当接することにより、耳上げ部材の取り付け位置がずれるのを防止するストッパを設けたものである。
【００１３】
前記構成により、装着手段が汚れた場合、耳上げ部材を取り外して洗濯することができるため、常に清潔な状態が維持できると共に、装着手段及び耳上げ部材の一方が破損しても、破損した部品のみを交換するだけで再使用することができるため、経済的である。
【発明の効果】
【００１４】
本発明の犬の耳上げ器具によれば、今まで垂れた耳により塞がれていた耳孔が開放され、これによって耳孔内の通気性が向上するため、耳孔内に溜まった耳垢等が蒸れて悪臭を発生したり、外耳炎となるのを未然に防止できるようになる。
また犬は、今まで装着されたことのない耳上げ器具に違和感を感じて、最初のうちは頭を振ったり、足で頭部を掻いたりして耳上げ器具を取ろうとするが、犬の頭部全周を巻くように装着手段が装着されているため、耳上げ部材の装着位置がずれたり、簡単に外れてしまうことがない。
【発明を実施するための最良の形態】
【００１５】
本発明の第１の実施の形態を、図面を参照して詳述する。
図１は犬の耳上げ器具の展開図、図２は耳上げ部材の斜視図、図３は図１のＡ−Ａ線に沿う断面図、図４は犬に装着する際の作用説明図、図５は犬に装着した状態の正面図、図６は犬に装着した状態の側面図である。
図１に示す犬の耳上げ器具は、犬の耳を所定高さに持ち上げる耳上げ部材１と、耳上げ部材１を犬の頭部へ装着する装着手段２とからなる。
装着手段２は、前バンド２ａと後バンド２ｂ及びこれら前後バンド２ａ，２ｂのほぼ中間部を連結する連結部材２ｃとから形成されている。
【００１６】
前バンド２ａ及び後バンド２ｂは、例えばポリエステル繊維、ナイロン繊維、ポリプロピレン繊維等の樹脂繊維により形成されていて、前バンド２ａは後バンド２ｂよりやや長さが短くなっており、前バンド２ａ及び後バンド２ｂのほぼ中間部を連結する連結部材２ｃは、犬の頭の大きさや形が多少変わってもフィットしやすくするため、ニットのような伸縮性を有する柔軟な織布等の繊維により形成されている。
前後バンド２ａ，２ｂの一端側には、互いに連結された環状体２ｄ，２ｅが前後バンド２ａ，２ｂの長手方向に移動自在に嵌挿されており、前後バンド２ａ，２ｂの両端側には、止め具３が取り付けられている。
環状体２ｄ，２ｅは、前後バンド２ａ，２ｂの一端側を互いに近接させて、装着手段２を犬の頭部に装着した際装着手段２が回転するのを防止するもので、前後バンド２ａ，２ｂの幅よりやや幅広となる扁平な環状体により形成されている。
【００１７】
また止め具３は、前後バンド２ａ，２ｂの一端側に取り付けられたメス部材３ｂと、前後バンド２ａ，２ｂの他端側に取り付けられ、かつメス部材３ｂに係脱自在なオス部材３ａとからなり、何れも合成樹脂により一体成形されている。
止め具３のオス部材３ａは、ほぼ日形に形成された長さ調整部３ｃの一端部に係止突部３ｄが突設されており、メス部材３ｂ側には、係止突部３ｄが係脱自在に係合する係止凹部３ｅが両側部に形成されている。
止め具３のオス部材３ａが取り付けられた前後バンド２ａ，２ｂの端部側は、ほぼ日形に形成された長さ調整部３ｃの中央部に設けられた横杆（図示せず）を迂回するように巻き付けられ、かつ先端側が前後バンド２ａ，２ｂの中央部側へ折り返されていて、横杆を迂回する部分の位置を変えることにより、装着する犬の頭部の大きさや形状に応じて前後バンド２ａ，２ｂの長さが自由に調整できるようになっている。
【００１８】
一方前後バンド２ａ，２ｂと連結部材２ｃの連結部裏面には、耳上げ部材１を装着手段２に取り付ける止着手段４が設けられている。
止着手段４は、例えばオス型面状ファスナ４ａとメス型面状ファスナ４ｂからなる面状ファスナよりなり、図１の破線で示すように一端側が前後バンド２ａ，２ｂの一部にかかるよう接着や縫着等の手段で連結部材２ｃの裏面に取り付けられていると共に、オス型面状ファスナ４ａとメス型面状ファスナ４ｂの前バンド２ａ側端部と後バンド２ｂ側の端部は、互いに固着されていて、両者が完全に分離できないようになっており、これによって剥離したオス型面状ファスナ４ａとメス型面状ファスナ４ｂの一方を紛失しないようになっている。
【００１９】
また止着手段４により装着手段２に着脱自在な耳上げ部材１は、図２に示すように線状材を折り曲げることにより形成されている。
線状材としては、弾性を有し、かつ比較的軽量で、しかも手でも簡単に変形することができる例えばピアノ線等の針金が適しているが、前記条件を満たすものであれば、その他の材料であっても勿論よく、繊維強化樹脂により一体成形したものを用いてもよい。
耳上げ部材１は、止着手段４により装着手段２に固定する前後２個所の部分が取り付け部１ａ，１ｂとなっていて、これら取り付け部１ａ、１ｂは、犬の頭部にフィットするよう円弧状に湾曲されており、取り付け部１ａ，１ｂが犬の頭部に接触しても、犬が痛がったり、違和感を生じないようゴムチューブのような弾性部材１ｃにより被覆されている。
弾性部材１ｃの両端部には、止着手段４の両側縁と係合することにより、取り付け部１
ａ，１ｂの取り付け位置が止着部材４よりずれるのを防止する短筒状のストッパ１ｄが固着されている。
【００２０】
前側の取り付け部１ａの両端側に連続する立ち上がり部１ｅは、後側の立ち上がり部１ｊより立ち上がり角が急になっていて、立ち上がり部１ｅの下端側は前後方向と直交する横方向にほぼ直角に折り曲げられて横水平部１ｆが形成されており、横水平部１ｆの外側端部は進行方向に平行する縦水平部１ｇの前端に連設されている。
縦水平部１ｇの後端部は、斜め内側に折り曲げられた水平傾斜部１ｈに連設され、水平傾斜部１ｈの後端が、後側の取り付け部１ｂの両端側に連続する立ち上がり部１ｉの下端に連設されていて、全体がほぼ枠状に形成されている。
【００２１】
次に前記第１の実施の形態になる犬の耳上げ器具の作用を、図４ないし図６を参照して説明すると、耳上げ器具を必要とする犬は、耳が長く、垂れた耳によって常時耳孔の入口が塞がれている犬に使用する。
犬の頭部に装着するに当っては、装着手段２から耳上げ部材１を外した図２に示す状態で、装着する犬の頭部に耳上げ部材１の前後取り付け部１ａ，１ｂを上方より被せ、取り付け部１ａ，１ｂの湾曲が犬の頭部の形状に合わなかったり、隙間が開くような場合は、線状材よりなる耳上げ部材１を手で持って、取り付け部１ａ，１ｂの湾曲状態や、立ち上がり部１ｅ，１ｉの立ち上がり角を変えて、犬の頭部に耳上げ部材１がフィットするよう調整し、また垂れた耳が耳孔を塞がない位置に耳が持ち上げられるように縦水平部１ｇの高さを調整する。
【００２２】
耳上げ部材１の調整が完了したら、装着手段２に設けられた止着手段４の例えばメス型面状ファスナ４ｂを図３に示す仮想線の一まで剥離して、耳上げ部材１の取り付け部１ａ，１ｂを所定位置に取り付け、メス型面状ファスナ４ｂを再びオス型面状ファスナ４ａに係止して、装着手段２に対して耳上げ部材１を固定する。
このとき取り付け部１ａ，１ｂの両端部に固定されたストッパ１ｄを止着手段４の両縁部に当接させることにより、使用中取り付け部１ａ，１ｂの取り付け位置がずれることがない。
耳上げ部材１の取り付けが完了したら、図４に示すように装着手段２の連結部２ｃが頂部になるよう耳上げ部材１を犬の頭部に載置し、前後バンド２ａ、２ｂの長さを犬の頭部回りに合わせて調整する。
【００２３】
前後バンド２ａ，２ｂの長さ調整が完了したら、互いに連結された環状体２ｄ，２ｅにより一端側が近接状態で連結された前後バンド２ａ，２ｂのメス部材３ｂ取り付け側を頭部の下側に位置させ、この状態で前後バンド２ａ，２ｂの一端に取り付けられたオス部材３ａをメス部材３ｂにそれぞれ係合して、装着手段２により耳上げ部材１を犬の頭部に図５に示すように取り付ける。
そして耳上げ部材１の取り付けが完了したら、垂れた犬の耳の先端を前後立ち上がり部１ｅ，１ｉの間から縦水平部１ｇの外側へ出すことにより、図５及び図６に示すように垂れた耳のほぼ中間部が縦水平部１ｇにより下から持ち上げられて、今まで垂れた耳により塞がれていた耳孔の入口が開放され、これによって耳孔内の通気性が向上するため、耳孔内に溜まった耳垢等が蒸れて悪臭を発生したり、外耳炎となるのを未然に防止できるようになる。
【００２４】
また犬は、今まで装着されたことのない耳上げ器具に違和感を感じて、最初のうちは頭を振ったり、足で頭部を掻いたりして耳上げ器具を取ろうとするが、犬の頭部全周を巻くように装着手段２が装着されている上、取り付け部１ａ，１ｂとその両側に形成された前後立ち上がり部１ｅ，１ｉによる回転抑止効果と、前後バンド２ａ，２ｂの一端側が環状体２ｄ，２ｅにより互いに近接された状態で連結されていることによる回転抑止効果により、犬の頭部に装着された装着手段２が回転することがないため、装着位置がずれたり、簡単に外れてしまうことがない。
さらに長時間装着している間に、犬も慣れて取り外す行動をとることがなくなるため、犬に対して違和感なく垂れた耳を長時間に持ち上げておくことができるようになる。
【００２５】
一方図７及び図８は、本発明の第２の実施の形態を示すもので、次にこの第２の実施の形態を説明する。
図７に示す犬の耳上げ器具は前記第１の実施の形態と同様に、犬の耳を所定高さに持ち上げる耳上げ部材１と、耳上げ部材１を犬の頭部へ装着する装着手段２とからなる。
装着手段２は、間隔を存して互いに並行するように設けられた前バンド２ａと、後バンド２ｂ及びこれら前後バンド２ａ，２ｂのほぼ中間部を連結する連結部材２ｃとによりほぼＨ形に形成されている。
前後バンド２ａ，２ｂの長さは、装着する犬の頭部に対し予め余裕を持った長さに設定されていて、両端部に取り付けられた長さ調整機能を有する止め具３により装着する犬の頭部に合せて長さが調整できるようになっている。
【００２６】
止め具３は図７に示すように、前後バンド２ａ，２ｂの他端側に取り付けられたオス部材３ｇと、前後バンド２ａ，２ｂの一端側に取り付けられたメス部材３ｈとからなり、何れも合成樹脂により一体成形されている。
止め具３のオス部材３ｇは、ほぼ日形に形成された長さ調整部３ｉの一端部に係止突部３ｊが突設されており、メス部材３ｈ側には、係止突部３ｊが係脱自在に係合する係止凹部３ｋが形成されている。
止め具３のオス部材３ｇが取り付けられた前後バンド２ａ，２ｂの端部側は、ほぼ日形に形成された長さ調整部３ｉの中央部に設けられた横杆（図示せず）を迂回するように巻き付けられ、かつ先端側が前後バンド２ａ，２ｂの中央部側へ折り返されていて、横杆を迂回する部分の位置を変えることにより、装着する犬の頭部の大きさや形状に応じて前後バンド２ａ，２ｂの長さが自由に調整できるようになっている。
なお装着手段２及び止め具３以外の各部品は、前記第１の実施の形態と同様なので同一符号を付して、その説明は省略する。
【００２７】
次に前記第２の実施の形態になる犬の耳上げ器具の作用を、図８を参照して説明すると、装着手段２に耳上げ部材１の取り付けが完了したら、装着手段２の連結部２ｃが頂部になるよう耳上げ部材１を犬の頭部に載置し、前後バンド２ａ、２ｂの長さを犬の頭部回りに合わせて調整するが、犬の頭部に装着後、耳上げ器具が前後にずれたり、脱落しないよう前後バンド２ａ，２ｂの両端側を頭部の下側で交差させるため、このことを考慮して前後バンド２ａの長さを止着具４の長さ調整部３ｉで調整する。
【００２８】
前後バンド２ａ，２ｂの長さ調整が完了したら、前後バンド２ａ，２ｂの両端部を頭部の下側で交差させた状態で、前バンド２ａの一端に取り付けられたメス部材３ｈと後バンド２ｂの他端に取り付けられたオス部材３ｇを互いに係合し、後バンド２ｂの一端に取り付けられたメス部材３ｈと前バンド２ａの他端に取り付けられたオス部材３ｇを互いに係合して、装着手段２により耳上げ部材１を犬の頭部に図８に示すように取り付ける。
そして耳上げ部材１の取り付けが完了したら、垂れた犬の耳の先端を前後立ち上がり部１ｅ，１ｉの間から縦水平部１ｇの外側へ出すことにより、垂れた耳のほぼ中間部が縦水平部１ｇにより下から持ち上げられて、今まで垂れた耳により塞がれていた耳孔の入口が開放され、これによって耳孔内の通気性が向上するため、耳孔内に溜まった耳垢等が蒸れて悪臭を発生したり、外耳炎となるのを未然に防止できるようになる。
【００２９】
なお前記第１及び第２の実施の形態では、止着手段４を面状ファスナにより形成したが、装着手段２に対し耳上げ部材１が確実に取り付けられるものであれば、他の手段を採用してもよい。
また耳上げ部材１は、弾性を有する樹脂により一体成形するようにしてもよい。
【図面の簡単な説明】
【００３０】
【図１】本発明の第１の実施の形態になる犬の耳上げ器具の展開図である。
【図２】本発明の第１の実施の形態になる犬の耳上げ器具に使用する耳支持部材の斜視図である。
【図３】図１のＡ−Ａ線に沿う断面図である。
【図４】本発明の第１の実施の形態になる犬の耳上げ器具を犬に装着する際の作用説明図である。
【図５】本発明の第１の実施の形態になる犬の耳上げ器具を犬に装着した状態の正面図である。
【図６】本発明の第１の実施の形態になる犬の耳上げ器具を犬に装着した状態の側面図である。
【図７】本発明の第２の実施の形態になる犬の耳上げ器具の展開図である。
【図８】本発明の第２の実施の形態になる犬の耳上げ器具を犬に装着した状態の側面図である。
【符号の説明】
【００３１】
１    耳上げ部材
１ａ    取り付け部
１ｄ    ストッパ
１ｇ    縦水平部
２    装着手段
２ａ    前ベルト
２ｂ    後ベルト
２ｃ    連結部材
２ｄ    環状体
２ｅ    環状体
３    止め具
３ｃ    長さ調整部
４    止着手段
【図１】
2009219431.tif 000003
【図２】
2009219431.tif 000004
【図３】
2009219431.tif 000005
【図４】
2009219431.tif 000006
【図５】
2009219431.tif 000007
【図６】
2009219431.tif 000008
【図７】
2009219431.tif 000009
【図８】
2009219431.tif 000010